(57)【要約】【課題】  チューブに対するエロージョンの発生を防止し、構造強度を向上させる。【解決手段】  本発明は、チューブ２及びフィン３から成るコア４と、チューブ２の端部に取り付けられるヘッダプレート５と、ヘッダプレート５に取付けられるタンク６と、コア４の両側に設けられ、端部２３がヘッダプレート５に貫設されるコアサポート２２とを備え、コアサポート２２の端部２３にロウ吸上げ溝２５が形成されていることを特徴とし、ロウ付け時に流出するヘッダプレート５のロウ材はロウ吸上げ溝２５に流れ込み、チューブ２に廻り込むことがない。【選択図】  図１
2005069621.tif 000002
【特許請求の範囲】
【請求項１】
チューブ及びフィンから成るコアと、
前記チューブの端部に取り付けられるヘッダプレートと、
該ヘッダプレートに取付けられるタンクと、
前記コアの両側に設けられ、端部が前記ヘッダプレートに貫設されるコアサポートと、
を備え、該コアサポートの端部にロウ吸上げ溝が形成されていることを特徴とするラジエータ。
【発明の詳細な説明】
【技術分野】
【０００１】
本発明は、自動車、建設機械等において使用されるラジエータに関する。
【背景技術】
【０００２】
一般に、自動車、建設機械等には、エンジンから発生する熱を最適な状態に制御するために、ラジエータが設けられている。図６に示されているように、従来のラジエータ１は、チューブ２及びフィン３から成るコア４と、チューブ２の端部に接合されるヘッダプレート５と、ヘッダプレート５に嵌着されるタンク６と、タンク６をヘッダプレート５に固定するためのサイドプレート７と、コア４の両側に設けられたコアサポート８とから概略構成されており、サイドプレート７の端部９とコアサポート８の端部１０はそれぞれヘッダプレート５に貫設されている。
【０００３】
そして、互いに接合される少なくとも一方の部材の表面には予めロウ材が被覆されており、ラジエータ１の前記各構成部材２，３，５，６，７，８を組立てた後、高温の炉内に挿入することにより、各接合部が一体ロウ付けされ、接合されるようになっている（例えば、特許文献１，２参照）。
【０００４】
【特許文献１】特開平１１−２２３４７７号公報
【特許文献２】特開２０００−２８３６９１号公報
【発明の開示】
【発明が解決しようとする課題】
【０００５】
ところが、上記した従来のラジエータ１では、ヘッダプレート５のロウ材が、サイドプレート７の端部９やコアサポート８の端部１０のヘッダプレート５貫設箇所を通ってヘッダプレート５のコア４側に流出した後、最も外側のチューブ２に廻り込み、そのチューブ２にエロージョンを発生させるおそれがあった。そして、チューブ２にエロージョンが発生すると、フィレットが形成されなくなり、構造強度を低下させるおそれがあった。
【０００６】
本発明は、上記した課題を解決すべくなされたものであり、チューブに対するエロージョンの発生を防止し、構造強度を向上させることのできるラジエータを提供するものである。
【課題を解決するための手段】
【０００７】
本発明は、チューブ及びフィンから成るコアと、前記チューブの端部に取り付けられるヘッダプレートと、該ヘッダプレートに取付けられるタンクと、前記コアの両側に設けられ、端部が前記ヘッダプレートに貫設されるコアサポートとを備え、該コアサポートの端部にロウ吸上げ溝が形成されていることを特徴とする。
【発明の効果】
【０００８】
本発明によれば、チューブに対するエロージョンの発生を防止し、構造強度を向上させることができる等種々の優れた効果を得ることができる。
【発明を実施するための最良の形態】
【０００９】
以下、図面を参照しつつ、本発明の実施の形態について説明する。図１は本発明の実施の形態に係るラジエータ２１の正面図を示し、図２はその側面図を示している。なお、上記した従来例と同様の構成については、図１及び図２中、図６における符号と同一の符号を付し、説明の簡略化のため、その構成についての詳細な説明は省略する。
【００１０】
本実施の形態に係るラジエータ２１には、タンク６の開口端部を閉塞すると共にタンク６をヘッダプレート５に固定するためにサイドプレート７が取付けられており、サイドプレート７の端部９はヘッダプレート５に貫設され、コア４側に突出している。また、コア４の両側にはコアサポート２２が設けられており、コアサポート２２の端部２３はヘッダプレート５に貫設され、その端部２３の先端はタンク６内に突出している。
【００１１】
図３〜図５は、そのコアサポート２２を示しており、図３はコアサポート２２の平面図、図４はその側面図、図５はコアサポート２２の端部２３の断面図である。コアサポート２２の両端部２３には平板部２４が形成され、平板部２４の両面には、図３及び図５に良く示されているように、長手方向に沿って複数のロウ吸上げ溝２５が並列して形成されている。また、このロウ吸上げ溝２５より中央側のコアサポート２２には、外側にＵ字状に形成された曲折部２６が形成され、各曲折部２６の間のコアサポート２２には、外側に屈曲した側壁部２７が形成されている。
【００１２】
このようなラジエータ２１を組立てるには、コア４の両側にコアサポート２２を設け、チューブ２の端部及びコアサポート２２の端部２３にヘッダプレート５を取り付ける。そして、ヘッダプレート５にタンク６を嵌着し、サイドプレート７によりタンク６の開口端部を閉塞すると共にタンク６をヘッダプレート５に取付ける。その後、このように組立てたものを、高温の炉内に挿入し、各接合部を一体ロウ付けし、接合する。この時、ヘッダプレート５のロウ材が、サイドプレート７の端部９やコアサポート２２の端部２３のヘッダプレート５貫設部分を通ってヘッダプレート５のコア４側に流出したとしても、そのロウ材はロウ吸上げ溝２５に流れ込み、チューブ２に廻り込むことがないので、チューブ２にエロージョンが発生するおそれがない。
【００１３】
なお、上記した実施の形態では、サイドプレート７が設けられている場合について説明したが、本発明は、サイドプレート７の代わりに、例えば、タンク６の端部に被嵌可能な蓋等、他の形状又は構造を有する部材により、タンク６の開口端部を閉塞すると共にタンク６をヘッダプレート５に固定するようになっている場合にも、適用可能である。
【図面の簡単な説明】
【００１４】
【図１】本発明の実施の形態に係るラジエータを示す正面図である。
【図２】本発明の実施の形態に係るラジエータを示す側面図である。
【図３】本発明の実施の形態におけるコアサポートの平面図である。
【図４】本発明の実施の形態におけるコアサポートの側面図である。
【図５】図３のＡ−Ａ断面図である。
【図６】従来例を示す正面図である。
【符号の説明】
【００１５】
２          チューブ
３          フィン
４          コア
５          ヘッダプレート
６          タンク
２１        ラジエータ
２２        コアサポート
２３        端部
２５        吸上げ溝
【図１】
2005069621.tif 000003
【図２】
2005069621.tif 000004
【図３】
2005069621.tif 000005
【図４】
2005069621.tif 000006
【図５】
2005069621.tif 000007
【図６】
2005069621.tif 000008